(57)【要約】      （修正有）【課題】折りたたみ可能な可搬性に優れた新規な表示装置を提供する。【解決手段】第１の筐体５０２、第２の筐体５０４、表示パネル５０１、及びカバーフィルム５０３を有する表示装置であり、第１の筐体は、表示パネルを収納し、第２の筐体は、カバーフィルムを収納し、表示パネルは、可撓性を有し、カバーフィルムは、可撓性を有し、かつ、可視光に対する透過性を有し、表示装置が展開した状態において、カバーフィルムは、表示パネルの表示面上に位置し、折りたたむ際に第１の筐体を第２の筐体よりも先に折りたたむことが可能であり、その後第１の筐体を覆うように第２の筐体を折りたたむことが可能である。折りたたむ際の曲率半径は表示パネルよりカバーフィルムの方が大きい。【選択図】図３
2020024420.tif 000002
【特許請求の範囲】
【請求項１】
表示パネルと、第１の層と、を有する表示装置であり、
前記表示パネルは、可撓性を有し、
前記第１の層は、可撓性を有し、かつ、可視光に対する透過性を有し、
前記表示パネルと、前記第１の層とは、それぞれ独立に折りたたむことが可能であり、
前記表示パネルは、複数の折りたたみ箇所を有し、
前記表示装置を展開した状態において、前記第１の層は、前記表示パネルの表示面上に位置し、
前記表示装置を折りたたんだ状態において、前記表示パネルは、前記表示パネルの表示面の一部が外側となるように折りたたむことが可能であり、
前記表示装置を折りたたんだ状態において、前記表示パネルの表示面の一部を覆うように、前記第１の層を折りたたむことが可能である、表示装置。
【請求項２】
表示パネルを有する第１の筐体と、第１の層を有する第２の筐体と、を有する表示装置であり、
前記表示パネルは、可撓性を有し、
前記第１の層は、可撓性を有し、かつ、可視光に対する透過性を有し、
前記第１の筐体と、前記第２の筐体とは、それぞれ独立に折りたたむことが可能であり、
前記第１の筐体は、複数の折りたたみ箇所を有し、
前記表示装置を展開した状態において、前記第１の層は、前記表示パネルの表示面上に位置し、
前記表示装置を折りたたんだ状態において、前記表示パネルは、前記表示パネルの表示面の一部が外側となるように折りたたむことが可能であり、
前記表示装置を折りたたんだ状態において、前記表示パネルの表示面の一部を覆うように、前記第１の層を折りたたむことが可能である、表示装置。
【請求項３】
請求項１または請求項２において、
前記表示装置を折りたたむ際に、前記表示パネルを前記第１の層よりも先に折りたたむことが可能であり、その後、前記表示パネルを覆うように前記第１の層を折りたたむことが可能である、表示装置。
【請求項４】
請求項１乃至請求項３のいずれか一項において、
前記表示装置は、前記表示パネルの表示面の一部を外部から見ることができるように折りたたむことが可能である、表示装置。
【請求項５】
請求項１乃至請求項４のいずれか一項において、
前記第１の層は、前記表示パネルよりも厚い、表示装置。
【発明の詳細な説明】
【技術分野】
【０００１】
本発明の一態様は、物、方法、又は、製造方法に関する。または、本発明の一態様は、プ
ロセス、マシン、マニュファクチャ、又は、組成物（コンポジション・オブ・マター）に
関する。特に、本発明の一態様は、例えば、半導体装置、表示装置、発光装置、蓄電装置
、それらの駆動方法、又は、それらの製造方法に関する。特に、本発明の一態様は、表示
装置に関する。
【背景技術】
【０００２】
情報伝達手段に係る社会基盤が充実されている。これにより、多様で潤沢な情報を職場や
自宅だけでなく外出先でも取得又は発信できるようになっている。
【０００３】
多くの情報を一覧して表示することができる大きな画面を備える表示装置は、情報端末機
器に好適である。
【０００４】
また、外出先でも情報を取得することができる携帯可能な情報端末機器が盛んに開発され
ている。外出先で使用するには持ち運びがしやすいことが重要である。用途によって情報
端末機器のサイズ、それに伴い表示領域のサイズを変えられることは非常に利便性が高い
。
【０００５】
携帯可能な情報端末機器は屋外で使用されることが多く、落下される等により思わぬ力が
携帯可能な情報端末機器に加わることがある。
【０００６】
外部から加えられた力に耐え、破壊されにくい表示装置の一例としては、発光層を分離す
る構造体と第２の電極層との密着性を高めた構成が知られている（特許文献１）。
【先行技術文献】
【特許文献】
【０００７】
【特許文献１】特開２０１２−１９０７９４号公報
【発明の概要】
【発明が解決しようとする課題】
【０００８】
本発明の一態様は、このような技術的背景のもとでなされたものである。したがって、折
りたたみ可能な可搬性に優れた新規な表示装置を提供することを課題の一とする。または
、継ぎ目のない大きな画面に表示をすることができる新規な表示装置を提供することを課
題の一とする。また、折りたたみ時や広げて大画面を用いる際に外部からの物理的な力に
対して耐性が高い新規な表示装置を提供することを課題の一とする。
【０００９】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１０】
本発明の一態様は、第１の筐体、表示パネル、及び第１の層を有する表示装置であり、第
１の筐体は、表示パネルを収納し、表示パネルは、可撓性を有し、第１の層は、可撓性を
有し、かつ、可視光に対する透過性を有し、表示装置が展開した状態及び折りたたんだ状
態の双方において、第１の層の少なくとも一部は、表示パネルの表示面上に位置し、折り
たたんだ状態の表示装置の表示面は、表示領域と、可視光を透過する領域と、を有する、
表示装置である。
【００１１】
また、本発明の一態様は、第１の筐体、表示パネル、及び第１の層を有する表示装置であ
り、第１の筐体は、表示パネルを収納し、表示パネルは、可撓性を有し、第１の層は、可
撓性を有し、かつ、可視光に対する透過性を有し、表示装置が展開した状態において、第
１の層は、表示パネルの表示面上に位置し、第１の筐体と第１の層とをそれぞれ独立に折
りたたむことが可能である、表示装置である。特に、折りたたむ際に第１の筐体を第１の
層よりも先に折りたたむことが可能であり、その後第１の筐体を覆うように第１の層を折
りたたむことが可能であると好ましい。
【００１２】
上記各構成の表示装置は、表示パネルの表示面の一部を外部から見ることができるように
折りたたむことが可能であると好ましい。
【００１３】
上記各構成の表示装置は、第２の筐体を有し、第２の筐体は、第１の層を収納することが
好ましい。
【００１４】
上記各構成の表示装置を折りたたむ際の曲率半径は、表示パネルより第１の層の方が大き
いことが好ましい。
【００１５】
上記各構成の表示装置は、第１の層、さらには第２の筐体を有することにより、展開した
際も、折りたたんだ際も、表示パネルが外部から物理的な力を直接受けることがない。
【００１６】
上記各構成の表示装置は、第１の層にタッチセンサを有することが好ましい。
【００１７】
上記各構成の表示装置は、第１の層と表示パネルが向かい合う面の少なくとも片方に反射
防止層を有することが好ましい。
【００１８】
反射防止機能を設けることにより、第１の層と表示パネル間の距離に分布があっても干渉
ムラは発生しない。
【００１９】
上記各構成の表示装置は、第１の筐体と第１の層はそれぞれ取り外すことが可能であるこ
とが好ましい。または、第１の筐体と第２の層がそれぞれ取り外すことが可能であっても
よい。これにより、どちらかが壊れた場合は、壊れた方のみを取り換えることができ、修
理等のコストが抑えられる。
【００２０】
外部から物理的な力を受ける第１の層や第２の筐体の方が使用できなくなる可能性が高い
が、第１の層や第２の筐体の方が表示パネルより安く作れるため、取り換え機能を有する
ことで安く修理することが可能である。
【００２１】
第１の層は、表示パネルよりも大きな膜厚とすることが好ましい。第１の層が厚いほど、
表示装置の物理的な力に対する耐性を高めることができる。本発明の一態様では、表示パ
ネルよりも第１の層の曲率半径を大きく設定することができるため、第１の層の厚さが表
示パネルほど制限されないという利点を有する。
【００２２】
なお、本明細書中において、表示装置とは画像表示デバイスを指す。また、表示装置にコ
ネクター、例えばＦＰＣ（Ｆｌｅｘｉｂｌｅ  ｐｒｉｎｔｅｄ  ｃｉｒｃｕｉｔ）もしく
はＴＣＰ（Ｔａｐｅ  Ｃａｒｒｉｅｒ  Ｐａｃｋａｇｅ）が取り付けられたモジュール、
ＴＣＰの先にプリント配線板が設けられたモジュール、又は発光素子が形成された基板に
ＣＯＧ（Ｃｈｉｐ  Ｏｎ  Ｇｌａｓｓ）方式によりＩＣ（集積回路）が直接実装されたモ
ジュールも全て表示装置に含むものとする。
【発明の効果】
【００２３】
本発明の一態様によれば、折りたたみ可能な可搬性に優れた新規な表示装置を提供できる
。または、継ぎ目のない大きな画面に表示をすることができる新規な表示装置を提供でき
る。また、折りたたみ時や広げて大画面を用いる際に外部からの物理的な力に対して耐性
が高い新規な表示装置を提供できる。
【図面の簡単な説明】
【００２４】
【図１】実施の形態に係る表示装置を展開した状態を説明する図。
【図２】実施の形態に係る表示装置を表示パネルのみ折りたたんだ状態を説明する図。
【図３】実施の形態に表示装置の係る表示装置を折りたたんだ状態を説明する図。
【図４】実施の形態に表示装置の係る表示パネルの構成を説明する図。
【発明を実施するための形態】
【００２５】
＜本発明の一態様が解決することができる課題の例＞
表示素子等が可撓性の基板上に設けられた可撓性の表示パネルが知られている。
【００２６】
可撓性の表示パネルを、小さな曲率半径で曲げられる構成とするためには、表示パネルの
膜厚や硬度が制限されてしまい、表示パネルの物理的強度が弱まってしまうことがある。
【００２７】
可撓性の高い表示パネルに物理的な力が直接かかってしまうと表示パネルの機能膜や機能
素子を保護できないという課題が生じる。一方、硬度の高い機能膜を表示パネルに設ける
と、曲げ可能な曲率半径が大きくなってしまうという課題が生じる。
【００２８】
＜本発明の一態様＞
以下に説明する実施の形態には、広げて大きな画面に表示をする際も、折りたたんだ際も
、カバーフィルムを有する筐体によって、表示パネルが外部から直接物理的な力を受ける
ことが抑制された構成に着眼して創作された本発明の一態様が含まれる。
【００２９】
本発明の一態様の表示装置は、第１の筐体、第２の筐体、表示パネル、及びカバーフィル
ムを有する。第１の筐体は、表示パネルを収納する。第２の筐体は、カバーフィルムを収
納する。表示パネルは、可撓性を有する。カバーフィルムは、可撓性を有し、かつ、可視
光に対する透過性を有する。
【００３０】
本発明の一態様では、表示装置が展開した状態及び折りたたんだ状態の双方において、カ
バーフィルムの少なくとも一部は、表示パネルの表示面上に位置し、折りたたんだ状態の
表示装置の表示面は、表示領域と、可視光を透過する領域と、を有することが好ましい。
【００３１】
または、本発明の一態様では、表示装置が展開した状態において、カバーフィルムは、表
示パネルの表示面上に位置し、折りたたむ際に第１の筐体を第２の筐体よりも先に折りた
たむことが可能であり、その後第１の筐体を覆うように第２の筐体を折りたたむことが可
能であることが好ましい。
【００３２】
上記各構成の表示装置は、表示パネルの表示面の一部を外部から見ることができるように
折りたたむことが可能であると好ましい。
【００３３】
上記各構成の表示装置は、第２の筐体を有し、第２の筐体は、第１の層を収納することが
好ましい。
【００３４】
上記各構成の表示装置を折りたたむ際の曲率半径は、表示パネルより第１の層の方が大き
いことが好ましい。また、表示パネルよりも第１の層の膜厚が大きいことが好ましい。
【００３５】
上記の構成では、カバーフィルム及び第２の筐体を有することにより、表示装置を展開し
た際も、折りたたんだ際も、表示パネルは外部から物理的な力を直接受けることがない。
【００３６】
その結果、折りたたみ可能な可搬性に優れた新規な表示装置を提供できる。または、継ぎ
目のない大きな画面に情報等を表示することができる新規な表示装置を提供できる。また
、折りたたみ時や広げて大画面を用いる際に外部からの物理的な力に対して耐性が高い新
規な表示装置を提供することができる。
【００３７】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。なお、以下に説明する発明の構成において
、同一部分又は同様な機能を有する部分には同一の符号を異なる図面間で共通して用い、
その繰り返しの説明は省略する。
【００３８】
（実施の形態１）
本実施の形態では、本発明の一態様の表示装置の構成について、図１、図２及び図３を参
照しながら説明する。
【００３９】
図１（Ａ）乃至図３（Ａ）は本発明の一態様の表示装置の上面図であり、図１（Ｂ）乃至
図３（Ｂ）は、対応する図１（Ａ）乃至図３（Ａ）の側面図である。
【００４０】
図１（Ａ）及び図１（Ｂ）は、本発明の一態様の表示装置を展開した状態を説明する図で
ある。本発明の一態様の表示装置は、展開することで、継ぎ目のない大きな画面に表示を
することができる。
【００４１】
図１（Ｂ）の一点鎖線で囲った部分の拡大図に示すように、表示パネル５０１に比べて、
カバーフィルム５０３は、厚いことが好ましい。なお、本実施の形態では、第１の筐体５
０２と第２の筐体５０４の厚さが等しい例を示すが、本発明の一態様はこれに限られない
。
【００４２】
図２（Ａ）及び図２（Ｂ）は、本発明の一態様の表示装置を表示パネルのみ折りたたんだ
状態を説明する図である。
【００４３】
図３（Ａ）及び図３（Ｂ）は、本発明の一態様の表示装置を折りたたんだ状態を説明する
図である。本発明の一態様の表示装置は、折りたたむことで、可搬性を高めることができ
る。
【００４４】
本実施の形態で説明する表示装置５００は、折りたたみ機構５５０と、表示パネル５０１
と、第１の筐体５０２と、カバーフィルム５０３と、第２の筐体５０４を有する。第１の
筐体５０２は、表示パネル５０１を収納する。なお、表示パネル５０１は、情報等を表示
することができる表示領域５０５を備える。第２の筐体５０４は、カバーフィルム５０３
を収納する。表示パネル５０１を折りたたむことで、表示装置５００に、カバーフィルム
５０３のみからなる可視光を透過する領域５０６が設けられてもよい。
【００４５】
表示装置を展開した際には、表示パネル５０１の表示面側にはカバーフィルム５０３が設
けてある構造になり、表示パネル５０１は外的な物理的力によるダメージを低減すること
が可能になる（図１参照）。
【００４６】
そして、第１の筐体５０２と第２の筐体５０４はそれぞれ折りたたみ機構５５０を有して
おり、第１の筐体５０２のみを折りたたむことも可能である。その際、表示パネル５０１
の一部は第１の筐体５０２の内部で折りたたまれて、表示面の一部は内側になる。内側に
なる場所は外部からの物理的なダメージを低減することが可能になる（図２参照）。
【００４７】
第１の筐体５０２を折りたたんだ後に第２の筐体５０４を第１の筐体５０２を覆うように
折りたたむことで、表示パネル５０１は第１の筐体５０２又はカバーフィルム５０３によ
って外部からの物理的ダメージを低減することが可能になる（図３参照）。なお、第２の
筐体５０４は、第１の筐体５０２の全てを覆う必要は無い。
【００４８】
その結果、折りたたみ可能な可搬性に優れた新規な表示装置５００を提供できる。または
、継ぎ目のない大きな画面に表示をすることができる新規な表示装置５００を提供できる
。また、折りたたみ時や広げて大画面を用いる際に外部からの物理的な力に対して耐性が
高い新規な表示装置を提供できる。
【００４９】
本表示装置を折りたたむ際には、第１の筐体と第２の筐体を別々に折りたたむ。その際第
１の筐体より第２の筐体は大きな曲率半径で折りたたむ。そのため第２の筐体に設置され
たカバーフィルムは第１の筐体に設置された表示パネルほどの曲げ耐性は必要としない。
【００５０】
なお、本形態では表示パネルを３つ折りした場合を例として図に示すが、本発明はこれに
限らない。折りたたんだ際に表示領域が外部から見られる構造であれば、どのような折り
たたみ方をしても本発明の一様態である。
【００５１】
以下に、本発明の一態様の表示装置を構成する個々の要素について説明する。
【００５２】
《カバーフィルム》
カバーフィルム５０３は、表示パネル５０１に対する外部のダメージを低減する必要があ
る。そのため、外部から力がかかった際に歪み等が生じない程度に硬度が高いことが必要
である。そして、硬度が高いと表示品位を落とす傷等の発生を抑制することができる。ま
た、表示パネルからの光を外部に出す必要があるために可視光に対する透過性を有するこ
とが必要である。
【００５３】
硬度を高めると、曲げ特性は落ちてしまうが、図３に示す様に、カバーフィルム５０３は
表示パネル５０１より大きな曲率半径で折りたたむために、本発明の一態様においては十
分な硬度と曲げ特性を得ることができる。
【００５４】
尚、カバーフィルム５０３にはタッチセンサ機能を設けてもよい。カバーフィルム５０３
と表示パネル５０１は筐体が異なるために、十分な距離を得ることができ表示パネルの寄
生容量の影響を受けないため、静電容量式のタッチセンサにおいても感度を高くできる。
【００５５】
第１の筐体５０２と、第２の筐体５０４は別に折りたたむことが可能なため、カバーフィ
ルム５０３と表示パネル５０１の距離は面内で分布ができやすい。分布による干渉縞が発
生すると表示品位を落としてしまうために、カバーフィルム５０３の表示パネル側に無反
射処理を行うとよい。無反射処理としては波長依存性が低いモスアイ構造が好ましい。
【００５６】
無反射処理は表示パネル５０１の表示面側に行ってもよい。またカバーフィルム５０３、
表示パネル５０１両方に行ってもよい。無反射処理を行うことで、干渉縞の抑制と共に光
の取り出し効率を高めることができる。
【００５７】
カバーフィルム５０３の材質としては、可視光に対する透過性を有する、様々なプラスチ
ックを用いることが可能である。例えば、ポリイミド（ＰＩ）、アラミド、ポリエチレン
テレフタレート（ＰＥＴ）、ポリエーテルスルホン（ＰＥＳ）、ポリエチレンナフタレー
ト（ＰＥＮ）、ポリカーボネート（ＰＣ）、ナイロン、ポリエーテルエーテルケトン（Ｐ
ＥＥＫ）、ポリスルホン（ＰＳＦ）、ポリエーテルイミド（ＰＥＩ）、ポリアリレート（
ＰＡＲ）、ポリブチレンテレフタレート（ＰＢＴ）、シリコーン樹脂などのプラスチック
を用いることができる。特に、安価なＰＥＴやＰＥＮなどを用いることが好ましい。そし
て高い曲げ特性を必要としないために、表示パネル５０１に比べて十分に厚くできる。一
般的に可撓性を有する表示パネルの厚さは１００μｍ以下であるが、カバーフィルム５０
３は、１００μｍ以上１０００μｍ未満、好ましくは２００μｍ以上４００μｍ以下の厚
さにすることも可能である。
【００５８】
表面硬度を高めるためにプラスチックフィルム上に無機膜を成膜してもよい。無機膜とし
ては、可視光に対する透光性が高い膜を用いることができる。例えば、酸化シリコン膜、
窒化シリコン膜、酸化窒化シリコン膜、窒化酸化シリコン膜、酸化アルミニウム膜などを
用いることができる。無機膜は、単層、積層どちらでも用いることが可能である。
【００５９】
そして、カバーフィルム５０３は表示パネル５０１の物理的なダメージ等の低減は必要で
あるが、表示パネル中への水分浸入抑制には寄与していないので、目視で見られないマイ
クロクラックがあっても問題はない。このマイクロクラックを用いることで表面硬度が高
く、曲げ性も高いカバーフィルム５０３を作製できる。
【００６０】
カバーフィルム５０３は表面に撥水性、撥油性を有する処理を行ってもよい。
【００６１】
《第１の筐体、第２の筐体》
第１の筐体及び第２の筐体としては、機械的強度をある程度保つことができる材料を用い
ることができる。具体的には、プラスチック、金属、木材などを用いることができる。
【００６２】
第２の筐体５０４は、表示パネルからの光を外部に出すために、窓を設けている。その窓
にカバーフィルムを設ける。
【００６３】
第１の筐体５０２と第２の筐体５０４は、個々に取り外すことが可能である。どちらかが
壊れた場合は新規の筐体と取り換えて使うことが可能である。
【００６４】
外部から物理的な力を受けるカバーフィルム５０３や第２の筐体５０４の方が、表示パネ
ル５０１や第１の筐体５０２よりも先に損傷し、使用できなくなる可能性が高いが、それ
ぞれ独立に第１の筐体５０２と第２の筐体５０４を取り外すことができることで、交換し
たい部分のみを取り換えることができ、安く修理することが可能である。また、カバーフ
ィルム５０３の方が表示パネル５０１より安く作れることからも、取り換え機能を有する
ことで安く修理することが可能である。
【００６５】
《折りたたみ機構》
折りたたみ機構５５０は、第１の筐体５０２、第２の筐体５０４の折りたたみ箇所で曲げ
ることができる。例えば、ヒンジ又は可撓性の部材等を折りたたみ機構５５０に適用する
ことができる。
【００６６】
なお、ラチェット機構又は滑り止め等を折りたたみ機構５５０に設け、折り曲げの角度を
適宜調整できるように設けてもよい。
【００６７】
《表示パネル》
表示パネル５０１は可撓性を有する。
【００６８】
表示装置５００に適用することができる表示パネル５０１の構成は、供給された信号に含
まれる情報を表示することができる表示素子を備える。表示素子としては、例えば、発光
素子、電子インク、液晶素子等を備える。なお、表示パネル５０１の一例として、表示素
子に発光素子を用いる構成を、実施の形態２において詳細に説明する。
【００６９】
なお、本実施の形態は、本明細書で示す他の実施の形態と適宜組み合わせることができる
。
【００７０】
（実施の形態２）
本実施の形態では、本発明の一態様の表示装置に適用可能な表示パネルの構成について、
図４を参照しながら説明する。
【００７１】
図４（Ａ）は本発明の一態様の表示装置に適用可能な表示パネルの構造を説明する上面図
である。
【００７２】
図４（Ｂ）は図４（Ａ）の切断線Ａ−Ｂ及び切断線Ｃ−Ｄにおける断面図である。
【００７３】
図４（Ｃ）は図４（Ａ）の切断線Ｅ−Ｆにおける断面図である。
【００７４】
＜上面図の説明＞
本実施の形態で例示する表示パネル２００は、一方の端２００Ｌと他方の端２００Ｒを有
する（図４（Ａ）参照）。なお、本発明の一態様において、表示パネル２００は、一方の
端２００Ｌ及び他方の端２００Ｒの一方又は双方を有していなくてもよい。
【００７５】
また、本実施の形態で例示する表示パネル２００は表示領域２０１を有する。
【００７６】
表示領域２０１には、複数の画素２０２が設けられ、画素２０２には複数の副画素（例え
ば副画素２０２Ｒ）が設けられている。また、副画素には、発光素子及び発光素子を駆動
する電力を供給することができる画素回路が設けられている。
【００７７】
画素回路は、選択信号を供給することができる配線及びデータ信号を供給することができ
る配線と電気的に接続される。
【００７８】
また、表示パネル２００は選択信号を供給することができる走査線駆動回路２０３ｇと、
データ信号を供給することができるデータ線駆動回路２０３ｓを備える。
【００７９】
＜断面図の説明＞
表示パネル２００は、基板２１０及び基板２１０に対向する対向基板２７０を有する（図
４（Ｂ）参照）。
【００８０】
基板２１０は、可撓性を有する基板２１０ｂ、発光素子への拡散を防ぐバリア膜２１０ａ
及び基板２１０ｂとバリア膜２１０ａを貼り合わせる接着層２１０ｃの積層体である。
【００８１】
対向基板２７０は、可撓性を有する基板２７０ｂ、発光素子への拡散を防ぐバリア膜２７
０ａ及び基板２７０ｂとバリア膜２７０ａを貼り合わせる接着層２７０ｃの積層体である
。
【００８２】
また、封止材２６０は対向基板２７０と基板２１０を貼り合わせている。また、画素回路
及び発光素子（例えば第１の発光素子２５０Ｒ）は基板２１０と対向基板２７０の間にあ
る。
【００８３】
《画素の構成》
画素２０２は、副画素２０２Ｒ、副画素２０２Ｇ及び副画素２０２Ｂを有する（図４（Ｃ
）参照）。また、副画素２０２Ｒは発光モジュール２８０Ｒを備え、副画素２０２Ｇは発
光モジュール２８０Ｇを備え、副画素２０２Ｂは発光モジュール２８０Ｂを備える。
【００８４】
例えば副画素２０２Ｒは、第１の発光素子２５０Ｒ及び第１の発光素子２５０Ｒに電力を
供給することができるトランジスタ２０２ｔを含む画素回路を備える（図４（Ｂ）参照）
。また、副画素２０２Ｒは発光モジュール２８０Ｒを備え、発光モジュール２８０Ｒは第
１の発光素子２５０Ｒ及び光学素子（例えば第１の着色層２６７Ｒ）を備える。
【００８５】
第１の発光素子２５０Ｒは、第１の下部電極２５１Ｒ、上部電極２５２、第１の下部電極
２５１Ｒと上部電極２５２の間に発光性の有機化合物を含む層２５３を有する。
【００８６】
発光性の有機化合物を含む層２５３は、発光ユニット２５３ａ、発光ユニット２５３ｂ及
び発光ユニット２５３ａと発光ユニット２５３ｂの間に中間層２５４を備える。
【００８７】
発光モジュール２８０Ｒは、第１の着色層２６７Ｒを対向基板２７０に有する。着色層は
特定の波長を有する光を透過するものであればよく、例えば赤色、緑色又は青色等を呈す
る光を選択的に透過するものを用いることができる。なお、発光素子の発する光をそのま
ま透過する領域を設けてもよい。
【００８８】
例えば、発光モジュール２８０Ｒは、第１の発光素子２５０Ｒと第１の着色層２６７Ｒに
接して、封止材２６０を有する。
【００８９】
第１の着色層２６７Ｒは第１の発光素子２５０Ｒと重なる位置にある。これにより、第１
の発光素子２５０Ｒが発する光の一部は、封止材２６０及び第１の着色層２６７Ｒを透過
して、図中の矢印に示すように発光モジュール２８０Ｒの外部に射出される。
【００９０】
《表示パネルの構成》
表示パネル２００は、遮光層２６７ＢＭを対向基板２７０に有する。遮光層２６７ＢＭは
、着色層（例えば第１の着色層２６７Ｒ）を囲むように設けられている。
【００９１】
表示パネル２００は、反射防止層２６７ｐを表示領域２０１に重なる位置に備える。
【００９２】
表示パネル２００は、絶縁膜２２１を備える。絶縁膜２２１はトランジスタ２０２ｔを覆
っている。なお、絶縁膜２２１は画素回路に起因する凹凸を平坦化するための層として用
いることができる。また、不純物のトランジスタ２０２ｔ等への拡散を抑制することがで
きる層が積層された絶縁膜を、絶縁膜２２１に適用することができる。
【００９３】
表示パネル２００は、発光素子（例えば第１の発光素子２５０Ｒ）を絶縁膜２２１上に有
する。
【００９４】
表示パネル２００は、絶縁膜２２１上に第１の下部電極２５１Ｒの端部に重なる隔壁２２
８を有する（図４（Ｃ）参照）。また、基板２１０と対向基板２７０の間隔を制御するス
ペーサ２２９が、隔壁２２８上に設けられている。
【００９５】
《データ線駆動回路の構成》
データ線駆動回路２０３ｓは、トランジスタ２０３ｔ及び容量２０３ｃを含む。なお、駆
動回路を画素回路と同一基板上に、画素回路と同一の工程で形成することができる。
【００９６】
《他の構成》
表示パネル２００は、信号を供給することができる配線２１１を備え、端子２１９が配線
２１１に設けられている。なお、データ信号及び同期信号等の信号を供給することができ
るＦＰＣ（フレキシブルプリントサーキット）２０９が端子２１９に電気的に接続されて
いる。
【００９７】
なお、ＦＰＣにはプリント配線基板（ＰＷＢ）が取り付けられていても良い。本明細書に
おける表示パネルには、表示パネル本体だけでなく、それにＦＰＣ又はＰＷＢが取り付け
られた状態をも含むものとする。
【００９８】
なお、本実施の形態は、本明細書で示す他の実施の形態と適宜組み合わせることができる
。
【符号の説明】
【００９９】
２００    表示パネル
２００Ｌ    端
２００Ｒ    端
２０１    表示領域
２０２    画素
２０２Ｂ    副画素
２０２Ｇ    副画素
２０２Ｒ    副画素
２０２ｔ    トランジスタ
２０３ｃ    容量
２０３ｇ    走査線駆動回路
２０３ｓ    データ線駆動回路
２０３ｔ    トランジスタ
２１０    基板
２１０ａ    バリア膜
２１０ｂ    基板
２１０ｃ    接着層
２１１    配線
２１９    端子
２２１    絶縁膜
２２８    隔壁
２２９  スペーサ
２５０Ｒ    発光素子
２５１Ｒ    下部電極
２５２    上部電極
２５３    層
２５３ａ    発光ユニット
２５３ｂ    発光ユニット
２５４    中間層
２６０    封止材
２６７ＢＭ    遮光層
２６７ｐ    反射防止層
２６７Ｒ    着色層
２７０    対向基板
２７０ａ    バリア膜
２７０ｂ    基板
２７０ｃ    接着層
２８０Ｂ    発光モジュール
２８０Ｇ    発光モジュール
２８０Ｒ    発光モジュール
５００    表示装置
５０１    表示パネル
５０２    第１の筐体
５０３    カバーフィルム
５０４    第２の筐体
５０５    表示領域
５０６    可視光を透過する領域
５５０    折りたたみ機構
【図１】
2020024420.tif 000003
【図２】
2020024420.tif 000004
【図３】
2020024420.tif 000005
【図４】
2020024420.tif 000006